(57)【要約】【課題】子局のハンドオーバー時に、ＱｏＳ制御に必要な帯域を予め確保するための子局の移動先予測無線ＬＡＮシステムを提供する。【解決手段】親局が無線通信部１０を通じてＱｏＳ通信中の子局のハンドオーバーを検知した際、テーブル制御部２０は、移動先親局のＭＡＣアドレスが登録されているテーブルを取得し、その親局に対して、帯域確保要求信号送信部３０がＬＡＮ通信部４０を通じて帯域確保要求フレームをイーサネット経由で送信する。テーブル制御部２０は、取得したテーブルを登録手段２１にて登録し、削除手段２２にて削除し、管理手段２３にて更新管理する。【選択図】      図１
2004180123.tif 000002
【特許請求の範囲】
【請求項１】
子局と親局とを有する無線ＬＡＮシステムであって、
前記親局は、前記子局と無線通信を行う無線通信部と、
この無線通信部を通じてＱｏＳ通信中の子局のハンドオーバーを検知した際、移動先親局のＭＡＣアドレスが登録されているテーブルを取得するテーブル制御部と、
前記移動先親局に対して帯域確保要求フレームを送信指示する帯域確保要求信号送信部と、
この送信指示を受けてＬＡＮを介して前記移動先親局に前記帯域確保要求フレームを送信するＬＡＮ通信部とを備えることを特徴とする子局の移動先予測無線ＬＡＮシステム。
【請求項２】
前記親局は、近隣親局のビーコン信号を受信して定量化する信号強度測定部をさらに備え、
前記テーブル制御部は、その定量化情報を受けて、一定値以上の信号を発信している親局のみを選択し登録することで、そのテーブルを移動先親局所在情報として取り扱い、
子局が移動した場合、前記テーブル制御部が有する前記移動先親局所在情報を基に、移動先として予測される親局に対して、前記帯域確保要求フレームを送信することを特徴とする請求項１記載の子局の移動先予測無線ＬＡＮシステム。
【請求項３】
前記親局は、前記子局の移動元と移動先の親局のＭＡＣアドレスを比較し、それらが同一であった場合は前記帯域確保要求信号送信部に対し、確保要求の送信依頼を無効とする移動方向判定部をさらに備えることを特徴とする請求項１又は２記載の子局の移動先予測無線ＬＡＮシステム。
【請求項４】
ＬＡＮ上の各親局に対して施設内の経路情報を提供する施設内経路情報サーバを備え、
前記親局は、直接移動することができない方向の前記経路情報を格納し、その経路情報に基づき、前記帯域確保要求信号送信部に対し、移動することができない方向の親局に対する確保要求の送信依頼を無効とする経路状態判定部さらに備えることを特徴とする請求項１〜３のいずれかに記載の子局の移動先予測無線ＬＡＮシステム。
【請求項５】
前記テーブル制御部は、ハンドオーバー時のアソシエーション設営情報から、子局の移動回数を移動元対移動先親局の形態別にカウントし、そこから前記子局の移動先割合を算出し、そのテーブルから最も移動確率の高い親局に対して、帯域確保要求フレームを送信指示することを特徴とする請求項１〜４のいずれかに記載の子局の移動先予測無線ＬＡＮシステム。
【請求項６】
子局と無線ＬＡＮによる通信を行う親局であって、
前記子局と無線通信を行う無線通信部と、
この無線通信部を通じてＱｏＳ通信中の子局のハンドオーバーを検知した際、移動先親局のＭＡＣアドレスが登録されているテーブルを取得するテーブル制御部と、
前記移動先親局に対して帯域確保要求フレームを送信指示する帯域確保要求信号送信部と、
この送信指示を受けてＬＡＮを介して前記移動先親局に前記帯域確保要求フレームを送信するＬＡＮ通信部とを備えることを特徴とする子局の移動先予測無線ＬＡＮ親局。
【発明の詳細な説明】
【０００１】
【発明の属する技術分野】
本発明は、無線ＬＡＮにおける動線予想ＱｏＳ（Ｑｕａｌｉｔｙ  ｏｆ  Ｓｅｒｖｉｃｅ）制御に関し、ＱｏＳ制御に必要な帯域を予め確保するための子局の移動先予測無線ＬＡＮシステムに関する。
【０００２】
【従来の技術】
従来、無線ＬＡＮシステムにおいては、子局が移動してハンドオーバーする際、ローミング先の親局はＱｏＳ通信に必要な帯域を確保しなければならない。そのため、ハンドオーバー時にリアルタイムでＱｏＳ制御することが困難であった。
【０００３】
また、無線ＬＡＮ基地局相互間を移動する端末の移動情報から統計的に得られた情報を用いて、端末が移動する確立の高い順に優先度付けした基地局情報を端末に通知して、新たな基地局に効率的に接続を切り替える無線ＬＡＮ基地局選択装置が開示されている（例えば、特許文献１参照）。
【０００４】
【特許文献１】
特開２００１−１０３５３１号公報
【０００５】
【発明が解決しようとする課題】
しかしながら、従来は、子局が移動してローミング先の親局がＱｏＳ通信に必要な帯域を確保するまでに時間を要し、通信のリアルタイム性を損なっていた。
【０００６】
そこで本発明は、子局のハンドオーバーを検知した親局が、次のローミング先と予想される親局に対して、ＱｏＳを制御するのに必要な帯域を予め確保させることで、子局が広範囲に移動する際にもリアルタイム性を損なわない通信を可能とする子局の移動先予測無線ＬＡＮシステムを提供することを目的とする。
【０００７】
【課題を解決するための手段】
上述の課題を解決するため、本発明は、子局と親局とを有する無線ＬＡＮシステムであって、前記親局は、前記子局と無線通信を行う無線通信部と、この無線通信部を通じてＱｏＳ通信中の子局のハンドオーバーを検知した際、移動先親局のＭＡＣアドレスが登録されているテーブルを取得するテーブル制御部と、前記移動先親局に対して帯域確保要求フレームを送信指示する帯域確保要求信号送信部と、この送信指示を受けてＬＡＮを介して前記移動先親局に前記帯域確保要求フレームを送信するＬＡＮ通信部とを備えることを特徴とする。
【０００８】
以上の構成によって、子局がハンドオーバーする以前に移動先と予測される親局に対して帯域確保させることができる。
【０００９】
【発明の実施の形態】
次に、本発明の実施の形態について図面を参照して説明する。
【００１０】
図１に、本発明による親局の基本構成の一例を示す。親局が無線通信部１０を通じてＱｏＳ通信中の子局のハンドオーバーを検知した際、テーブル制御部２０は、図２に示すような移動先親局のＭＡＣアドレスが登録されているテーブルを取得し、その親局に対して、帯域確保要求信号送信部３０がＬＡＮ通信部４０を通じて帯域確保要求フレームをイーサネット（富士ゼロックス株式会社の登録商標）経由で送信する。テーブル制御部２０は、取得したテーブルを登録手段２１にて登録し、削除手段２２にて削除し、管理手段２３にて更新管理する。
【００１１】
このように、子局がハンドオーバーする以前に移動先と予測される親局に対して帯域確保させるため、本処理に要するタイムロスを事前に回避することができる。
【００１２】
図３〜５は、本発明の第１の実施形態における、無線ＬＡＮシステムの構成、その構成による通信可能領域及び親局の構成を示す。
【００１３】
図３に示すシステム構成において、子局移動位置Ｐ１〜Ｐ５は、親局１〜５の直下の通路に位置しており、子局はこれらの地点に対して任意に移動することができるものとする。また各親局の通信可能範囲は、図４に示すように近隣親局の通信可能領域内に各親局が配置されているため、各親局は近隣親局のビーコン信号を受信することができるものとする。
【００１４】
図５は、本実施形態の親局の構成を示し、近隣親局からの傍受信号の強弱を、ビーコン信号強度測定部５０にてＲＳＳＩ（Ｒｅｃｅｉｖｅ  Ｓｉｇｎａｌ  Ｓｔｒｅｎｇｔｈ  Ｉｎｄｉｃａｔｉｏｎ）による定量化を行い、その情報を入力されたテーブル制御部は、一定値以上の信号を発信している親局のみを選択し登録することで、そのテーブルを移動先親局所在情報として取り扱うことができる。
【００１５】
そのため、本実施形態の無線ＬＡＮシステムにおいて、子局が移動位置Ｐ１からＰ２に移動した場合、親局２はテーブル制御部が有する移動先親局所在情報（図６）を基に、移動先として予測される親局１，３，４，５に対して、帯域確保要求フレームを送信することが可能となる。
【００１６】
なお、本実施形態の無線ＬＡＮシステムでは、傍受信号の強弱に基づき移動予想テーブルを生成するため、テーブル制御部に対して親局所在情報を手動入力する必要はなく、且つ親局の配置構成が変化された場合においても、自動的にテーブル内容が更新されるといった特徴を有する。
【００１７】
図７は、本発明の第２の実施形態における親局の構成を示す。なお、無線ＬＡＮシステムの構成及び通信可能領域は、第１の実施形態と同様とする。
【００１８】
近隣親局からの傍受信号の強弱に基づいて、移動先親局所在情報をテーブル制御部に登録する機能までは第１の実施形態と同様であるが、テーブルに登録されている各親局に対して帯域確保要求フレームを送信する際に、移動方向判定部６０が移動元と移動先の親局のＭＡＣアドレスを比較し、それらが同一であった場合は帯域確保要求信号送信部３０に対し、確保要求の送信依頼を無効とする機能を有している。
【００１９】
そのため、本実施形態の無線ＬＡＮシステムにおいて、子局が移動位置Ｐ１からＰ２に移動した場合、親局２の移動先親局所在テーブルから予想される移動先は、親局１，３，４，５となっているが（図６）、実際には、親局３，４，５に対して帯域確保要求フレームを送信することになる。
【００２０】
本実施形態の無線ＬＡＮシステムは、親局の設置箇所が例えば廊下のような引き返す移動形態が考えにくい箇所において、不必要な帯域使用を回避できる利点がある。
【００２１】
図８及び図９は、本発明の第３の実施形態における、無線ＬＡＮシステムの構成及び親局の構成を示す。なお、通信可能領域は、第１の実施形態と同様とする。
【００２２】
本システム構成は、第１の実施形態では十字型であった通路（図３）がＴ字型に変更されているため、直接子局移動位置３に移動することができなくなっており、またイーサネット上には、各親局に対して施設内の経路情報を提供する施設内経路情報サーバ６が存在するものとする。
【００２３】
経路情報サーバからの情報は、図９の経路状態判定部７０に格納され、直接移動することができない方向の判断材料に用いられる。そのため、本実施形態の無線ＬＡＮシステムにおいて、子局が移動位置Ｐ１からＰ２に移動した場合、親局２の移動先親局所在テーブルから予想される移動先は、親局１，３，４，５となっているが（図６）、まず図９の移動方向判定部６０によって親局１に対する帯域確保要求が拒否され、次に経路状態判定部７０によって親局３への帯域確保要求も拒否されるため、最終的には親局４と５に対してのみ帯域確保要求フレームが送信されることになる。
【００２４】
本実施形態の無線ＬＡＮシステムは、サーバから提供される経路情報に基づき、現実的に移動することができない方向の親局に対しては帯域確保要求を送信しないため、これまでの実施形態に比べより効率の高い帯域使用が見込まれる。
【００２５】
本発明の第４の実施形態は、無線ＬＡＮシステムの構成及び親局の構成については第１の実施形態と同様である（図３，図５）。ただし、図１０に示すように各親局は、近隣局の通信領域内に内包されていないため、傍受信号による移動先親局所在情報の取得ができないものとする。
【００２６】
ＱｏＳ通信中の子局のハンドオーバーを検知した親局のテーブル制御部は、ハンドオーバー時のアソシエーション設営情報から、子局の移動回数を移動元対移動先の形態別にカウントし、そこから移動先割合の算出を行う。
【００２７】
その結果、本実施形態の無線ＬＡＮシステムにおける親局２のテーブル制御部は、図１１に示すような子局の移動先予測情報を有することになる。例えば子局が移動位置Ｐ１からＰ２に移動した場合は、本テーブルから最も移動確率の高い親局５に対して、帯域確保要求フレームが送信されることになる。
【００２８】
本実施形態の無線ＬＡＮシステムでは、移動予測の精度を高めるためには、ある程度度数を採取しなければならないが、上記の実施形態のように特別、近隣局信号の傍受や地図サーバを用意しなくとも実現可能である。
【００２９】
【発明の効果】
以上説明したように、本発明によれば、子局がハンドオーバーする以前に移動先と予測される親局に対して帯域確保させるため、ＱｏＳ制御に必要な帯域を確保するために要するタイムロスを事前に回避することができる。
【図面の簡単な説明】
【図１】本発明による親局の基本構成図である。
【図２】移動先親局のＭＡＣアドレスが登録されているテーブルの説明図である。
【図３】第１の実施形態における無線ＬＡＮシステムの構成図である。
【図４】第１の実施形態における近隣親局の通信可能領域を示す図である。
【図５】第１の実施形態における親局の構成図である。
【図６】第１の実施形態における親局のテーブル制御部が有する移動先親局所在情報を示す図である。
【図７】第２の実施形態における親局の構成図である。
【図８】第３の実施形態における無線ＬＡＮシステムの構成図である。
【図９】第３の実施形態における親局の構成図である。
【図１０】第４の実施形態における近隣親局の通信可能領域を示す図である。
【図１１】第４の実施形態における親局のテーブル制御部が有する子局の移動先予測情報を示す図である。
【符号の説明】
１０  無線通信部
２０  テーブル制御部
２１  登録手段
２２  削除手段
２３  管理手段
３０  帯域確保要求信号送信部
４０  ＬＡＮ通信部
５０  ビーコン信号強度測定部
６０  移動方向判定部
７０  経路状態判定部
【図１】
2004180123.tif 000003
【図２】
2004180123.tif 000004
【図３】
2004180123.tif 000005
【図４】
2004180123.tif 000006
【図５】
2004180123.tif 000007
【図６】
2004180123.tif 000008
【図７】
2004180123.tif 000009
【図８】
2004180123.tif 000010
【図９】
2004180123.tif 000011
【図１０】
2004180123.tif 000012
【図１１】
2004180123.tif 000013